(57)【要約】  【目的】  各種紙への筆記が可能であり、筆記時に香りを発し、かつ描線跡にもほのかな香りを残し、更にはす筆記具容器を劣化させることなく、安定に筆記できることを特徴とするインキ組成物を提供することを目的とする  【構成】  ポリオレフィン系ワックスエマルションの含有量が固形分で０．１％未満であり、香料と着色剤と水とを含有してなるインキ組成物。【選択図】        なし【特許請求の範囲】
【請求項１】
少なくとも香料と、着色剤と、水と、インキ組成物全量に対する固形分の含有量が０．１重量％未満であるポリオレフィン系ワックスエマルションを含有してなる水性インキ組成物。
【請求項２】
前記ポリオレフィン系ワックスエマルションが、ポリプロピレンワックスエマルションまたはポリエチレンワックスエマルションから選ばれる１種もしくは２種以上である請求項１記載の水性インキ組成物。
【発明の詳細な説明】
【技術分野】
【０００１】
本発明は、筆記時に香りを発し、かつ描線跡にもほのかな香りを残す水性インキ組成物に関するものであり、更には、インキによる筆記具用容器の劣化損傷の無い水性インキ組成物に関するものである。
【背景技術】
【０００２】
従来、筆記時に香りを発し、かつ描線跡にもほのかな香りを残す水性インキ組成物は数々知られている。例えば、ポリオキシエチレンアルキルエーテルやポリオキシエチレンアルキルフェニルエーテルと着色剤と香料と水を含有するインキ組成物（参考文献１、及び参考文献２参照）、ポリオレフィンレフィン系ワックスエマルションを用いた印刷インキ添加剤に香料を併用できること(参考文献３参照)が知られている。
【特許文献１】特開２００１−３４２３９５号公報
【特許文献２】特開２００１−３４２４０８号公報
【特許文献３】特開２００３−１８３４５３号公報
【発明の開示】
【発明が解決しようとする課題】
【０００３】
一般に、香料は油溶性であり、油性インキ組成物の主溶剤であるアルコール類溶剤、ケトン類溶剤、エステル類溶剤等には容易に溶解することができるが、水には不溶である。この水に不溶の香料を、水中に乳化、分散させるためには前述のポリオキシエチレンアルキルエーテルやエチレン系重合体組成物分散体などの保護コロイドとなる乳化剤、または分散剤が必要である。しかしながら、特許文献１および特許文献２に記載に記載の発明では、香料を乳化させるポリオキシエチレンアルキルエールや、香料を乳化させるポリオキシエチレンアルキルフェニルエーテルを用いて調整される乳化液は、表面張力の大幅な低下をきたし、筆跡が滲みやすくなる。また、ポリオキシエチレンアルキルエーテルやポリオキシエチレンアルキルフェニルエーテルは樹脂に対する浸透性が強く樹脂を柔軟化させる作用が強い為、樹脂成形品からできた筆記具用容器を劣化損傷させる問題がある。
また、特許文献３に記載の発明では、ポリオレフィン系ワックスエマルションは、乾燥後、耐摩耗性及びたいブロッキング性を併せ持った塗膜を形成するのに必要な量のポリオレフィン系ワックスエマルションを用いて調整されたインキは、香料は分散されるものの多量に添加されると、インキ粘度が高くなり、筆記具に用いた場合、筆記カスレを生じてしまう問題点がある。
【０００４】
本発明は、筆記時に香りを発し、かつ描線跡にもほのかな香りを残すことはもちろんのこと、筆跡の滲みもなく、筆記具容器を劣化させることなく、安定に筆記できることを特徴とするインキ組成物を提供することを目的とする。
【課題を解決するための手段】
【０００５】
即ち、本発明は、少なくとも香料と、着色剤と、水と、インキ組成物全量に対する固形分の含有量が０．１重量％未満であるポリオレフィン系ワックスエマルションを含有してなるインキ組成物を要旨とするものである。
【発明の効果】
【０００６】
本発明で使用されるポリオレフィン系ワックスエマルションは、ポリエチレン系ワックスをノニオン系界面活性剤やアニオン系界面活性剤やカチオン系界面活性剤等によりエマルションとして安定に分散され表面が親水性となった粒子である。尚且つ、これらの粒子表面は、極性基を有した結晶構造を持っており、オレフィン系ワックスエマルションの固形分の量が０．１％未満であっても、油溶性である香料を容易に表面に吸着し、安定にインキ中に分散し、ほのかな香りを発するものと推察される。また、このポリオレフィン系ワックスエマルションは、乾燥後は、塗膜を形成する性質を持つ為に、香料を取り込んだ塗膜が形成されるので、描線跡は長時間にわたって香料の香りを維持することができるものと推察される。
【発明を実施するための最良の形態】
【０００７】
以下、本発明を詳細に説明する。
本発明に使用する着色剤は、公知の染料、顔料の何れも使用することができる。
着色剤として使用する染料は使用する水に可溶であればよく、直接染料、酸性染料、食用染料、塩基性染料のいずれも用いることができる。例えばＣ．Ｉ．ダイレクトブラック１７、同１９、同２２、同３２、同３８、同５１、同７１、Ｃ．Ｉ．ダイレクトイエロー４、同２６、同４４、同５０、Ｃ．Ｉ．ダイレクトレッド1、同４、同２３、同３１、同３７、同３９、同７５、同８０、同８１、同８３、同２２５、同２２６、同２２７、Ｃ．Ｉ．ダイレクトブルー１、同１５、同７１、同８６、同１０６、同１１９等が挙げられる。酸性染料としては、例えばＣ．Ｉ．アッシドブラック１、同２、同２４、同２６、同３１、同５２、同１０７、同１０９、同１１０、同１１９、同１５４、Ｃ．Ｉ．アッシドイエロー７、同１７、同１９、同２３、同２５、同２９、同３８、同４２、同４９、同６１、同７２、同７８、同１１０、同１４１、同１２７、同１３５、同１４２、Ｃ．Ｉ.アシッドレッド８、同９、同１４、同１８、同２６、同２７、同３５、同３７、同５１、同５２、同５７、同８２、同８７、同９２、同９４、同１１５、同１２９、同１３１、同１３８、同１８６、同２４９、同２５４、同２６５、同２７６、Ｃ．Ｉ．アッシドバイオレット１５、同１７、Ｃ．Ｉ．アシッドブルー1、同７、同９、同１５、同２２、同２３、同２５、同４０、同４１、同４３、同６２、同７８、同８３、同９０、同９３、同１０３、同１１２、同１１３、同１５８、Ｃ．Ｉ．アシッドグリーン３、同９、同１６、同２５、同２７等が挙げられる。食用染料としては、その大部分が直接染料または酸性染料に含まれるが、含まれないものの一例としては、Ｃ．Ｉ．フードイエロー３が挙げられる。塩基性染料としては、例えば、Ｃ．Ｉ．ベーシックイエロー１、同２、同２１、Ｃ．Ｉ．ベーシックオレンジ２、同１４、同３２、Ｃ．Ｉ．ベーシックレッド１、同２、同９、同１４、Ｃ．Ｉ．ベーシックバイオレット１、同３、同７、Ｃ．Ｉ．ベーシックグリーン４、Ｃ．Ｉ．ベーシックブラウン１２、Ｃ．Ｉ.ベーシックブッラク２、同８等が挙げられる。これらの着色剤は、１種または２種以上を適宣選択して用いることができる。その使用量は、インキ組成物全量に対して０．０５重量％以上至る４０重量％以下、好ましくは０．1重量％以上至る３０重量％以下である。
【０００８】
着色剤として使用する顔料としては、従来公知のピグメントブラック６、同７等のカーボンブラック、ピグメントブルー２７、同９、ピグメントバイオレット１５、ピグメントレッド２５９等の金属錯塩系顔料、ピグメントホワイト６、ピグメントイエロー４２、ピグメントブラック１１、ピグメントレッド１０１等の金属酸化物系顔料、ピグメントイエロー５３、ピグメントブラウン２４等の複合酸化物系顔料等、ピグメントホワイト２１、同２２、同２７、同２８、同１９、同２４、カオリンクレー、焼成クレー、タルク、ベントナイト、マイカ、白雲母、金雲母、ネフェリンシナイト等の体質顔料、アルミニウムペースト、アルミニウムフレークパウダー、ブロンズ粉等の金属粉系顔料、ピグメントホワイト１、同１４、二酸化チタン、被覆雲母等の真珠光沢顔料等の無機顔料、ピグメントレッド８１、同８１：１、同８１：２、同８１：３、同８１：４、同８２、同８３、同８４、同９０、同９０：１、同１５１、同１６９、同１７２、同１７３、同１７４、同１９１、ピグメントオレンジ３９、ピグメントイエロー１８、同１００、同１０４、同１１５、同１１７、ピグメントブルー１、同１：２、同２、同３、同８、同９、同１０、同１１、同１２、同１４、同５３、同６２、同６３、ピグメントバイオレット１、同２、同２：２、同３、同３：１、同３：３、同４、同５、同５：１、同６：１、同７：１、同９、同１２、同２０、同２６、同２７、同３９、ピグメントグリーン1、同２、同３、同４、同８、同９、同１０、同１２、同４５、ピグメントブラウン３等のレーキ系顔料、ピグメントレッド１、同３、同２１、同１１２、同１１４、同１４６、同１７０、同１８７、同１５０、同１８５、同３８、同４１、ピグメントオレンジ５、同３８、同３６、同１６、同１３、同３４、ピグメントイエロー１、同３、同９７、同１６７、同１５４、同１２、同１３、同１４、同１７、同５５、同８３、同８１、同１０、ピグメントブラウン２５等の不溶性アゾ顔料、ピグメントレッド１４４、同１６６等の縮合アゾ顔料、ピグメントレッド５３、同５３：１、同５３：３、同５０、同５０：１、同４９、同４９：１、同４９：２、同４９：３、同５７：１、同４８：１、同４８：２、同４８：３、同４８：４、同５２：１、同６３：１、同６３：２、同５８：２、同５８：４、同５１、同６０：１、同６４：１、ピグメントオレンジ１７、同１８、同１９、ピグメントイエロー６１、同６２等のアゾレーキ系顔料、ピグメントブルー１５、同１５：１、同１５：２、同１５：３、同１５：４、同１５：５、同１５：６、同１６、同１７：１、ピグメントグリーン７、同３６、同３７等のフタロシアニン系顔料、ピグメントレッド１２２、同２０２、同２０６、同２０７、同２０９、ピグメントオレンジ４８、ピグメントバイオレット１９等のキナクリドン系顔料、ピグメントレッド１６８、同１７７、ピグメントオレンジ５１、ピグメントイエロー２４、同１０８、ピグメントブルー６０等のアントラキノン系顔料、ピグメントレッド１２３、同１４９、同１７８、同１７９、同１９０、同２２４、ピグメントバイオレット２９、ピグメントブラック３１、同３２等のペリレン系顔料、ピグメントレッド１９４、ピグメ��トオレンジ４３等のペリノン系顔料、ピグメントレッド８８、同１８１、ピグメントブラウン２７、ピグメントブルー６６、同６３等のインジゴ系顔料、ピグメントバイオレット２３、同３７等のジオキサジン系顔料、ピグメントイエロー１３８等のキノフタロン系顔料、ピグメントオレンジ６１、ピグメントイエロー１０９、同１１０、同１７３等のイソインドリノン系顔料、ピグメントレッド２６０、ピグメントオレンジ６６、同６９、ピグメントイエロー１３９、同１８５等のイソインドリン系顔料、ピグメントイエロー１５０、ピグメントグリーン８、ピグメントグリーン１０等のアゾ金属錯体顔料、ピグメントレッド２５７、ピグメントオレンジ６８、ピグメントイエロー１２９、同１５３、同６５等のアゾメチン金属錯体顔料、ピグメントレッド２５４、同２５５、同２６４、同２７０、同２７２、ピグメントオレンジ７１、同７３等のジケトピロロピロール系顔料、ピグメントブルー１８、同１９、同５６、同５７、同６１、同５６：１、同６１：１等のアルカリブルー顔料、ピグメントブラック１等のアニリンブラック、ベーシックイエロー４０、ベーシックレッド１、ベーシックバイオレット１０、アシドイエロー７、アシドレッド９２、アシドブルー９、ディスパーズイエロー１２１、ディスパーズブルー７、ダイレクトイエロー８５、フルオロセントブライティングホワイテックスＷＳ５２、ソルベントイエロー４４、ソルベントブルー５等の蛍光染料を合成樹脂中で固溶体とした蛍光顔料等の有機顔料等の中から、インキ組成物中に微粒子として安定に分散し得るものを１種または２種以上を適宣選択して用いることができる。その使用量は、顔料の種類や他のインキ成分によりことなるものの、インキ組成物全量に対して１重量％以上至る４０重量％以下、好ましくは２重量％以上至る３０重量％以下である。
【０００９】
本発明に使用される香料としては、一般的に使用される天然香料や合成香料およびこれらを調合した調合香料が挙げられる。天然香料は、天然に存在する香りある植物、動物から、蒸留、抽出、圧搾等の分離操作により取り出したものである。具体的には、バラ油、ジャスミン油、ネロリ油、ラベンダー油、イランイラン油、チュベローズ油、クラリセーズ油、クローブ油、ペパーミント油、ゼラニウム油、パッチェリー油、サンダルウッド油、シンナモン油、コリアンダー油、ナツメグ油、ペパー油、レモン油、オレンジ油、ベルガモット油、オポポナックス油、ベチバー油、オリス油、オークモス油等の植物性香料や、ムスク油、シベット油、カストリウム油、アンバーグリス油等の動物性香料等が挙げられる。合成香料は、天然香料からその含有成分を抽出、精留、晶析や簡単な化学処理よってえる単離香料と、有機合成反応により製造する純合成香料とがある。具体的には、リモネン、β−カリオレフィン等の炭化水素類香料、シス−３−ヘキサノール、リナロール、ファルネソール、β−フェニルエチルアルコール、ゲラニオール、シトロネロール、タービネオール、メントール、サンタロール、バクダノール、ブラマノール等のアルコール類香料、２，６−ノナジエール、シトラール、α−ヘキシルシンナミックアルデヒド、リラール、リリアール等のアルデヒド類香料、β−イオノン、ｌ−カルボン、シクロペンタデカノン、ダマスコン、メチルイオノン、イロン、イソイースーパー、アセチルセドレン、ムスコン等のケトン類香料、リナニルアセテート、ベンジルベンゾエート、ベンジルアセテート、メチルジヒドロジャスモネート、メチルジャスモネート等のエステル類香料、γ−ウンデカラクトン、ジャスミンラクトン、シクロペンタデカノリッド、エチレンブラシレート等のラクトン類香料、オイゲノール等のフェノール類香料、ローズオキサイド、ガラクソリッド、アンプロキサン等のオキサイド類香料、インドール等の含窒素化合物類香料、フェニルアセトアルデヒドジメチルアセタール等のアセタール類香料、オーランチオール等のシッフ塩基類香料等が挙げられる。またこれらの天然香料や合成香料はそのまま単独で使用することは少なく、多くの場合、これらの素材を目的に応じて組み合わせ調合された調合香料の形で用いられることもある。具体的には、ローズ、ジャスミン、ミューゲ、リラ、カーネーション、チュベローズ、ヒアシンス、オレンジフラワー、ネロリ、バシオレット、ヘリオトロープ、ガーデニア、ハニーサックル、ジョンキル、ナルシス、フリージア、イランイラン、ジンチョウゲ等の花の香りのフローラル類香料、ベチバー系、サンダルウッド系、パッチェリー系、セダーウッド系、パイン系等の木の香りのウッディ類香料、Ｃｏｔｙ社の香水Ｃｈｙｐｒｅが原型となっているシプレー類香料、ベルガモット、レモン、オレンジ、ライム、グレープフルーツ、マッダリン等の柑橘系の香りのシトラス類香料、葉や、きゅうり、トマト、ピーマンなどに感じられる青くさい香りのグリーン類香料、Ｆｏｕｇｅｒｅ  Ｒｏｙａｌｅの香水名の原型であるフゼア類香料、東洋からヨーロッパに輸入された香料の特徴から名づけられたオリエンタル類香料、ピーチ、ストロベリー、アップル、バナナ、メロン、パイナップル、ラズベリー等のフルーツの香りのフルーティ類香料、グローブ、シンナモン、タイム、ペパー、カルダモン、ナツメッグ等のスパイスの香りのスパイシー類香料、脂肪族アルデハイドに属する炭素数７から１２までのもつアルデハイド類香料、ムスク、シベッド、カストリウム、アンバーグリス等の動物の臭いのアニマル類香料等が挙げられる。これらの香料は香りをつけられるものならば特に限定されず、単独もしくは複数混合して使用可能であり、これらの使用量はインキ組成物全量に対して０．０１重量％以上至る１０重量％以下であり、好ましくは０．０５重量％以上至る８重量％以下である。
【００１０】
本発明で使用されるポリオレフィン系ワックスエマルションは、分子量５００〜１０，０００の低分子量ポリエチレンや、低分子量ポリプロピレンをノニオン系界面活性剤、アニオン系界面活性剤、あるいはカチオン系界面活性剤を用いて水に分散させたものである。例えば、ポリエチレンワックスエマルションとしては、ＨＹＴＥＣ  Ｅ−６０００、同Ｅ−７０５８、同Ｅ−４Ａ、同Ｅ−４Ｂ、同Ｅ−１０００、同Ｅ−６２００、Ｅ−１０３Ｎ、Ｅ−６８Ａ（以上、東邦化学工業（株）製）、Ｈｙｄｒｏｃｅｒ  ＥＥ９５、同ＥＴ４０（Ｓｈａｍｒｏｃｋ  Ｔｅｃｈｎｏｌｏｇｉｅｓ社製）、ＪＯＮＷＡＸ２２、同２６、同２８（以上、ジョンソンポリマー（株）製）、ポリプロピレンワックスエマルションとしては、ＨＹＴＥＣ  Ｅ−４３３Ｎ、同Ｐ−５０６０（以上、東邦化学工業（株）製）、Ｈｙｄｒｏｃｅｒ  ＥＲ７７（Ｓｈａｍｒｏｃｅｒ  Ｔｅｃｈｎｏｌｏｇｉｅｓ社製）等が挙げられる。これらポリオレフィン系ワックスエマルションは、香料を水中で安定に分散させるものであれば特に限定されず、単独もしくは複数混合して使用可能である。これらの使用量は、香料を水中に安定に分散させ、尚且つ、筆記後の描線の香りを維持する為には、インキ組成物全量に対しポリオレフィン系ワックスエマルションの固形分として０．1重量％未満が好ましい。
【００１１】
本発明においては、以上に示した成分以外に、必要に応じて、定着剤、防腐防黴剤、粘度調整剤、凍結防止剤、ペン先乾燥防止剤、消泡剤、各種活性剤等、種々の添加剤を適宣選択して使用することができる。
【００１２】
本発明のインキ組成物の製造方法は、上記各成分をホモミキサー、ラボミキサー、ヘンシルミキサー等の撹拌機を使用することにより容易に得ることができる。
【００１３】
以下、実施例に基づき本発明を説明するが、本発明は実施例のみに限定されるものではない。
【実施例】
【００１４】
香料分散液Ａの調整
Ｐａｒｆｕｍｅ  ＴＨＰ−１１０７２（香料、長谷川香料（株）製）  ５０．０重量％
ＨＹＴＥＣ  Ｅ−１０００（ポリエチレンワックスエマルション、固形分３５重量％、東邦化学工業（株）製）                                            ５０．０重量％
上記各成分をラボミキサーにて1時間撹拌して、香料分散液Ａを得た。
【００１５】
香料分散液Ｂの調整
Ｐａｒｆｕｍｅ  ＴＨＰ−１１０７３（香料、長谷川香料（株）製）  ５０．０重量％
ＨＹＴＥＣ  Ｅ−７０５８（ポリエチレンワックスエマルション、固形分３５％、東邦化学工業（株）製）                                                ５０．０重量％
上記各成分をラボミキサーにて1時間撹拌して、香料分散液Ｂを得た。
【００１６】
香料分散液Ｃの調整
Ｄ−リモネン（香料、ヤスハラケミカル（株）製）                  ５０．０重量％
ＨＹＴＥＣ  Ｅ−４３３Ｎ（ポリプロピレンワックスエマルション、固形分３０％、東邦化学工業（株）製）                                              ５０．０重量％
上記各成分をラボミキサーにて1時間撹拌して、香料分散液Ｃを得た。
【００１７】
香料分散液Ｄの調整
ＳＸ−７２０８（香料、高砂香料（株）製）                        ５０．０重量％
ＨＹＴＥＣ  Ｅ−６２００（ポリエチレンワックスエマルション、固形分２５％、東邦化学工業（株）製）                                                ５０．０重量％
上記各成分をラボミキサーにて1時間撹拌して、香料分散液Ｄを得た。
【００１８】
香料分散液Ｅの調整
パインオイル（香料、ヤスハラケミカル（株）製）                  ４０．０重量％
ジョンＷＡＸ２６（ポリエチレンワックスエマルション、固形分２５％、ジョンソンポリマー（株）製）                                                  ６０．０重量％
上記各成分をラボミキサーにて1時間撹拌して、香料分散液Ｅを得た。
【００１９】
香料分散液Ｆの調整
Ｐａｒｆｕｍｅ  ＴＨＰ−１１０７２（前述）                          ５０重量％
ＮＩＫＫＯＬ  ＢＬ−９ＥＸ（ポリオキシエチレン（９）ラウリルエーテル、日光ケミカルズ（株）製）                                                    ５０．０重量％
上記各成分をラボミキサーにて1時間撹拌して、香料分散液Ｆ得た。
【００２０】
香料分散液Ｇの調整
Ｐａｒｆｕｍｅ  ＴＨＰ−１１０７２（前述）                          ５０重量％
ノナール２１０（ポリオキシエチレン（１０）ノニルフェニルエーテル、東邦化学工業（株）製）                                                            ６０．０重量％
上記各成分をラボミキサーにて1時間撹拌して、香料分散液Ｇを得た。
【００２１】
（実施例１）
香料分散液Ａ                                                      ０．２重量％
ＷＡＴＥＲ  ＢＬＡＣＫ  １００−Ｌ（Ｃ．Ｉ.ｄｉｒｅｃｔ  ｂｌａｃｋ  １９の２０％水溶液、オリエント化学工業（株）製）                            ６０.０重量％
ＷＡＴＥＲ  ＲＥＤ  ＃２（Ｃ．Ｉ.ａｃｉｄ  ｒｅｄ  ８７、オリエント化学工業（株）製）                                                            ０．６重量部％
ＷＡＴＥＲ  ＹＥＬＬＯＷ  ＃１（Ｃ．Ｉ．ａｃｉｄ  ｙｅｌｌｏｗ  ２３、オリエント化学工業（株））                                                  ０．１重量％
エチレン尿素                                                    １０．０重量％
ジエチレングリコール                                              ９．０重量％
エチレングリコール                                                ９．０重量％
イオン交換水                                                    １０．９重量％
プロクセルＧＸＬ（Ｓ）（１，２−ベンゾイソチアゾリン−３−オン、防腐防黴剤、アビシア（株）製）                                                    ０．２重量％
上記各成分をラボミキサーにて１時間攪拌して、黒色インキを得た。
【００２２】
（実施例２）
香料分散液Ｂ                                                      ０．４重量％
ポルックスブラック  ＰＭ−８１２Ｃ（Ｃ．Ｉ．ピグメントブラック７の水性顔料分散液、住化カラー（株）製）                                          ３０．０重量％
エチレングリコール                                                ５．０重量％
イオン交換水                                                    ５２．３重量％
プライマルＡＣ−２６１（アクリル系ポリマー、ローム・アンド・ハース社製）      
１２．０重量％
サンアイバックＰ−１００（１，２−ベンゾイソチアゾリン−３−オンと２−ピリジンチオール−１−オキサイド・ナトリウム塩の混合物、防腐防黴剤、三愛石油（株）製）  
０．３重量％
上記各成分をラボミキサーにて１時間攪拌して、黒色インキを得た。
【００２３】
（実施例３）
香料分散液Ｃ                                                      ０．２重量％
マツミンネオカラー  オレンジＭＧＤ（Ｃ．Ｉ．ピグメントオレンジ１６の水性顔料分散液、（株）松井色素化学工業所製）                                ３０．０重量％
エチレングリコール                                                ７．０重量％
イオン交換水                                                    ４９．５重量％
プライマルＡＣ−２６１（前述）                                  １３．０重量％
サンアイバックＰ−１００（前述）                                  ０．３重量％
上記各成分をラボミキサーにて１時間攪拌して、橙色インキを得た。
【００２４】
（実施例４）
香料分散液Ｄ                                                      ０．２重量％
ＷＡＴＥＲ  ＹＥＬＬＯＷ  ＃１（前述）                            ２．０重量％
ＷＡＴＥＲ  ＹＥＬＬＯＷ  ＃２（Ｃ．Ｉ．ｆｏｏｄ  ｙｅｌｌｏｗ  ３、オリエント化学工業（株）製）                                                  １．６重量％
エチレングリコール                                                ９．０重量％
ジエチレングリコール                                              ９．０重量％
プロピレングリコール                                              ７．０重量％
イオン交換水                                                    ７１．０重量％
プロクセルＧＸＬ（Ｓ）                                            ０．２重量％
上記各成分をラボミキサーにて１時間攪拌して、黄色インキを得た。
【００２５】
（実施例５）
香料分散液Ｅ                                                      ０．３重量％
ＷＡＴＥＲ  ＢＬＵＥ  ＃９（Ｃ．Ｉ．ＡＣＩＤ  ＢＬＵＥ  ９、オリエント化学工業（株））                                                            ２．０重量％
ダイレクトブルー１９９（Ｃ．Ｉ．ＤＩＲＥＣＴ  ＢＬＵＥ  １９９、ダイワ化成（株）製）                                                              １．２重量％
ＷＡＴＥＲ  ＹＥＬＬＯＷ  ＃６（Ｃ．Ｉ．ＡＣＩＤ  ｙｅｌｌｏｗ  ４２、オリエント化学工業（株）製）                                                ０．２重量％
エチレングリコール                                                ９．０重量％
ジエチレングリコール                                              ９．０重量％
プロピレングリコール                                            １２．０重量％
イオン交換水                                                    ６６．１重量％
プロクセルＧＸＬ（Ｓ）                                            ０．２重量％
上記各成分をラボミキサーにて１時間攪拌して、青色インキを得た。
【００２６】
（比較例１）
実施例１において、香料分散液Ａのかわりに香料分散液Ｆを０．２重量％加えた以外は、実施例１と同様になして黒色インキを得た。
【００２７】
（比較例２）
実施例２において、ＨＹＴＥＣ  Ｅ−７０５８（前述）を１０重量％を加え、イオン交換水を４２．３重量％にした以外は、実施例２と同様になして黒色インキを得た。
【００２８】
（比較例３）
実施例４において、交流分散液Ｄのかわりに、香料のＳＸ−７２０８（前述）のみを０．１重量％加え、イオン交換水を７１．１重量％とした以外は、実施例４と同様になして
黄色インキを得た。
【００２９】
（比較例４）
実施例５において、香料分散液Ｅのかわりに香料分散液Ｇを０．３重量％加えた以外は、実施例１と同様になして青色インキを得た。
【００３０】
以上の実施例１〜５及び比較例１〜４により得られた水性インキ組成物をインキカートリッジ部がポリエチレン製である、ぺんてる（株）製ぺんてる筆ＸＦＬ２Ｌに充填して確認試験を行った。
【００３１】
滲み性確認方法
水性インキ組成物を定性濾紙Ｎｏ．２（アドバンテック東洋（株）製）にスポイトにて１滴（０．０５ｇ）滴下し、室温で１時間乾燥後、ろ紙上のインキ滴下部の直径を測定した。
【００３２】
カスレ確認方法
ぺんてる筆の本体を１０回押してインキを穂先に染み込ませ、上質紙に筆記速度５センチメートル／秒、筆記荷重５グラム、筆記角度９０度で画線機筆記してカスレが発生した地点までの距離を確認した。その結果を表１に示す。尚、表中２０センチメートル以上としたものは、２０センチメートルを筆記した時点で筆跡にカスレが生じなかった為、それ以上筆記は行わなかった。
【００３３】
芳香性確認方法
ぺんてる筆の本体を１０回押してインキを穂先に染み込ませ、上質紙に筆記して官能評価した。その結果を表１に示す。
○・・・筆記時に加えた香料の匂いがあり、５時間後も筆跡が匂う。
×・・・筆記時には加えた香料の匂いがするが、５時間後には筆跡は匂わない。
【００３４】
インキの安定性の評価方法
ガラス製のネジ口式試験管にインキを入れ密閉し、５０℃恒温槽中に７日間放置後、放冷して、インキの状態を目視評価した。その結果を表１に示す。
○・・・ガラス表面に分離や析出無し。
×・・・ガラスの表面に分離や析出有り。
【００３５】
部品の劣化評価方法
ぺんてる筆にインキを充填して、５０℃恒温槽中に３０日間放置後、軸の割れによるインキ漏れの有無の確認を行った。その結果を表１に示す。
○・・・軸割れによるインキ漏れ無し。
×・・・軸割れによるインキ漏れ有り。
【００３６】
【表１】
2006241202.tif 000002